(57)【特許請求の範囲】
【請求項１】
少なくとも各種回線インタフェース部が装置前面側から挿抜可として実装されてなる回線インタフェース部実装装置に、電気信号伝送用の一重化伝送路を収容せしめる際での収容方法であって、
一重化伝送路に対応する回線インタフェース部が一重化構成である場合には、装置背面側に取り付けされ、かつ系切替機能が具備されていない回線インタフェース無予備用アタッチメント基板を介し一重化伝送路が収容される一方、一重化伝送路に対応する回線インタフェース部が二重化構成である場合は、装置背面側に取り付けされ、かつ系切替機能が具備されている回線インタフェース二重化用アタッチメント基板を介し一重化伝送路が収容されるようにした、一重化伝送路の回線インタフェース部実装装置への収容方法。
【請求項２】
少なくとも各種回線インタフェース部が装置前面側から挿抜可として実装されてなる回線インタフェース部実装装置に、電気信号伝送用の一重化伝送路を収容せしめる際での収容方法であって、
一重化伝送路に対応する回線インタフェース部の構成が一重化、二重化の何れであるかに拘らず、装置背面側に取り付けされ、かつ系切替機能が具備されている回線インタフェース二重化用アタッチメント基板を介し一重化伝送路が収容されるようにした、一重化伝送路の回線インタフェース部実装装置への収容方法。
【請求項３】
少なくとも各種回線インタフェース部が装置前面側から挿抜可として実装されてなる回線インタフェース部実装装置に、電気信号伝送用の一重化伝送路を収容せしめる際での収容方法であって、
一重化伝送路に対応する回線インタフェース部が一重化構成である場合には、装置背面側に取り付けされ、かつ系切替機能が具備されていない回線インタフェース無予備用アタッチメント基板を介し一重化伝送路が収容された上、該アタッチメント基板からの一重化接続情報により一重化伝送路に対応する回線インタフェース部は一重化動作状態におかれる一方、一重化伝送路に対応する回線インタフェース部が二重化構成である場合は、装置背面側に取り付けされ、かつ系切替機能が具備されている回線インタフェース二重化用アタッチメント基板を介し一重化伝送路が収容された上、該アタッチメント基板からの二重化情報により一重化伝送路に対応する回線インタフェース部各々は二重化動作状態におかれるようにした、一重化伝送路の回線インタフェース部実装装置への収容方法。
【請求項４】
少なくとも各種回線インタフェース部が装置前面側から挿抜可として実装されてなる回線インタフェース部実装装置に、電気信号伝送用の一重化伝送路を収容せしめる際での収容方法であって、
一重化伝送路に対応する回線インタフェース部が一重化構成である場合には、装置背面側に取り付けされ、かつ系切替機能が具備されていない回線インタフェース無予備用アタッチメント基板を介し一重化伝送路が収容される一方、一重化伝送路に対応する回線インタフェース部が二重化構成である場合は、装置背面側に取り付けされ、かつ系切替機能が具備されている回線インタフェース二重化用アタッチメント基板を介し一重化伝送路が収容されるに際して、一重化伝送路側接続コネクタ形状に対応する回線インタフェース無予備用アタッチメント基板、回線インタフェース二重化用アタッチメント基板それぞれを介し一重化伝送路が収容されるようにした、一重化伝送路の回線インタフェース部実装装置への収容方法。
【請求項５】
少なくとも各種回線インタフェース部が装置前面側から挿抜可として実装されてなる回線インタフェース部実装装置に、電気信号伝送用、光信号伝送用の一重化伝送路をそれぞれ収容せしめる際での収容方法であって、
電気信号伝送用の一重化伝送路は装置背面側に取り付けされ、かつ一重化伝送路側との接続用コネクタが具備されている回線インタフェース無予備用アタッチメント基板、または回線インタフェース二重化用アタッチメント基板を介し一重化伝送路が収容される一方、光信号伝送用の一重化伝送路は該一重化伝送路に対応する回線インタフェース部にコネクタ接続により直接収容されるようにした、一重化伝送路の回線インタフェース部実装装置への収容方法。
【請求項６】
少なくとも各種回線インタフェース部が装置前面側から挿抜可として実装されてなる回線インタフェース部実装装置に、電気信号伝送用の一重化伝送路を収容せしめる際での収容方法であって、
一重化伝送路に対応する回線インタフェース部が二重化構成である場合、装置背面側に取り付けされ、かつ系切替機能が具備されている回線インタフェース二重化用アタッチメント基板を介し一重化伝送路が収容された状態では、系切替え時にもサービスが中断されることなく、新規サービスの導入や障害に対する保守等が可能ならしめられるようにした、一重化伝送路の回線インタフェース部実装装置への収容方法。
【請求項７】
少なくとも各種回線インタフェース部が装置前面側から挿抜可として実装されてなる回線インタフェース部実装装置に、電気信号伝送用の一重化伝送路を収容せしめる際での収容方法であって、
一重化伝送路に対応する回線インタフェース部が一重化構成である場合には、装置背面側に取り付けされ、かつ系切替機能が具備されていない回線インタフェース無予備用アタッチメント基板を介し一重化伝送路が収容される一方、一重化伝送路に対応する回線インタフェース部が二重化構成である場合は、装置背面側に取り付けされ、かつ系切替機能が具備されている回線インタフェース二重化用アタッチメント基板を介し一重化伝送路が収容されるに際して、回線インタフェース無予備用アタッチメント基板、回線インタフェース二重化用アタッチメント基板はそれぞれ基板全体が放射ノイズ防止用金属板で覆われた状態として、装置背面側に取り付けされるようにした、一重化伝送路の回線インタフェース部実装装置への収容方法。
【請求項８】
少なくとも各種回線インタフェース部が装置前面側から挿抜可として実装されてなる回線インタフェース部実装装置に、光信号伝送用の一重化伝送路を収容せしめる際での収容方法であって、
一重化伝送路に対応する回線インタフェース部が二重化構成である場合、装置背面側に取り付けされ、かつ系切替機能としての光スイッチが具備されている回線インタフェース二重化用アタッチメント基板を介し一重化伝送路が収容されるようにした、一重化伝送路の回線インタフェース部実装装置への収容方法。
【請求項９】
少なくとも各種回線インタフェース部が装置前面側から挿抜可として実装されてなる回線インタフェース部実装装置に、それぞれ電気信号伝送用、光信号伝送用の一重化伝送路を収容せしめる際での収容方法であって、
一重化伝送路が、装置背面側に取り付けされ、かつ系切替機能が具備されている回線インタフェース二重化用アタッチメント基板を介し収容されるに際して、一重化伝送路に対応する回線インタフェース部から系切替機能への系切替信号が断状態におかれた場合、一重化伝送路は系切替機能を介し、二重化構成の回線インタフェース部のうち、何れか一方の回線インタフェース部に強制的に収容されるようにした、一重化伝送路の回線インタフェース部実装装置への収容方法。
【請求項１０】
少なくとも各種回線インタフェース部が装置前面側から挿抜可として実装されてなる回線インタフェース部実装装置に、それぞれ電気信号伝送用、光信号伝送用の一重化伝送路を収容せしめる際での収容方法であって、
一重化伝送路が、装置背面側に取り付けされ、かつ系切替機能が具備されている回線インタフェース二重化用アタッチメント基板を介し収容されるに際して、一重化伝送路に対応する回線インタフェース部から系切替機能への系切替用電源の供給が断状態におかれた場合、一重化伝送路は系切替機能を介し、二重化構成の回線インタフェース部のうち、何れか一方の回線インタフェース部に強制的に収容されるようにした、一重化伝送路の回線インタフェース部実装装置への収容方法。
【請求項１１】
少なくとも各種回線インタフェース部が装置前面側から挿抜可として実装されてなる回線インタフェース部実装装置に、光信号伝送用の一重化伝送路を収容せしめる際での収容方法であって、
一重化伝送路が、装置背面側に取り付けされ、かつ系切替機能が具備されていない回線インタフェース無予備用アタッチメント基板を介し収容されるに際して、一重化伝送路側接続コネクタ形状に対応する回線インタフェース無予備用アタッチメント基板を介し一重化伝送路が収容されるようにした、一重化伝送路の回線インタフェース部実装装置への収容方法。
【発明の詳細な説明】
【０００１】
【発明の属する技術分野】
本発明は、少なくとも各種回線インタフェース部が装置前面側から挿抜可として実装されてなる回線インタフェース部実装装置に電気信号伝送用、光信号伝送用の一重化伝送路を収容せしめる際での収容方法に係わり、特に一重化伝送路を回線インタフェース部実装装置にその背面側から収容せしめるに際し、その背面側に取り付けされている回線インタフェース無予備／二重化用アタッチメント基板を介し収容されるようにした、一重化伝送路の回線インタフェース部実装装置への収容方法にに関するものである。
【０００２】
【従来の技術】
これまで、各種回線インタフェース部が実装されてなる回線インタフェース部実装装置（以下、単に実装装置と称す）、例えば一ユニットで構成されているような小型ＡＴＭスイッチに具体例を採れば、ＮＥＣ技法Vol.50 No.5/1997のその１１９頁に記載されているように、伝送路各々が実装装置に収容接続される上で必要とされる装置側コネクタは、多くの場合、実装装置の前面（正面）側に設けられたものとなっている。ここで、伝送路各々が実装装置に対し、その前面側から収容される場合について説明すれば以下のようである。
【０００３】
即ち、図９に、そのようにして伝送路各々が収容される場合での実装装置の一例での平面を示す。図示のように、実装装置には二重化構成としての回線インタフェース部７１や無予備（一重化構成）としての回線インタフェース部７０、二重化回線インタフェース系切替モジュール７２等が前面側から挿抜可として実装された上、伝送路各々はコネクタ８０，８１を介し実装装置に収容されたものとなっている。これにより、ＯＣ３インタフェースのような光用コネクタや、ＤＳ３インタフェースのような電気用コネクタはそのコネクタ種別如何に拘らず、共通スロットに対し各種回線インタフェース部が実装可とされているわけである。
【０００４】
一方、以上とは別に、伝送路各々が実装装置に対し、伝送路各々がその背面側から収容される場合も考えられたものとなっている。図１０（Ａ），（Ｂ）にそれぞれその平面、一部右側面として示すように、バックプレーン２０側には伝送路各々がコネクタ８０，８１を介し収容されたものとなっている。因みに、図１０（Ａ）中、符号１２は回線インタフェーススロットを示す。
【０００５】
【発明が解決しようとする課題】
ところで、図９に示すように、ＤＳ３インタフェースにおいては、回線インタフェース部が二重化構成とされ、伝送路が一重化構成である場合、それら回線インタフェース部の前面側には系切替用装置（図示簡略表示）８２が別途取付けされる必要があり、これがために、各種不具合が生じたものとなっている。即ち、前面側に系切替用装置８２が取付けされる場合、現用系回線インタフェース部でのサービス処理が中断されることなく、障害状態にある予備系回線インタフェース部を実装装置から抜去した上、正常なものと交換することは不可能とされ、保守性上、問題があるというものである。また、以上の不具合に加え、回線インタフェース部各々が系切替用装置８２に引込みされた状態で系切替が行われる必要があることから、系切替のための二重化回線インタフェース系切替モジュール７２も併せてスロットに実装される必要があり、実装装置自体の大型化は避けられないというものである。
【０００６】
一方、図１０（Ａ），（Ｂ）に示すように、バックプレーン２０側に伝送路各々がコネクタ８０，８１を介し収容される場合には、実装スロットに光用コネクタスペースと電気用ＢＮＣコネクタスペースが必要であり、しかも電気用ＢＮＣコネクタを多数実装することは困難であり、その分、伝送路のポート数が限られてしまうことになる。
【０００７】
以上からも判るように、従来技術では、共通の実装スロットで回線インタフェース部が二重化、無予備何れにも対応し得、また、各種伝送路（光信号伝送用、電気信号伝送用）にも対応し得、更に、多数ポートにも対応し得、更にはまた、保守性に優れた状態として伝送路各々を実装装置に収容せしめることは困難となっているのが実情である。
【０００８】
本発明の第１の目的は、電気信号伝送用の一重化伝送路に対応する回線インタフェース部が一重化構成、二重化構成の何れであっても、保守性に優れた状態としてその一重化伝送路が実装装置に収容され得る、一重化伝送路の回線インタフェース部実装装置への収容方法を供するにある。
本発明の第２の目的は、電気信号伝送用の一重化伝送路に対応する回線インタフェース部が一重化構成、二重化構成の何れであっても、保守性に優れた状態として、しかもポート数大として、一重化伝送路が実装装置に収容され得る、一重化伝送路の回線インタフェース部実装装置への収容方法を供するにある。
本発明の第３の目的は、電気信号伝送用の一重化伝送路側のコネクタ形状の如何に拘らず、保守性に優れた状態として、その一重化伝送路が実装装置に収容され得る、一重化伝送路の回線インタフェース部実装装置への収容方法を供するにある。
本発明の第４の目的は、電気信号伝送用、光信号伝送用の一重化伝送路がそれぞれ実装装置に保守性に優れた状態として収容され得る、一重化伝送路の回線インタフェース部実装装置への収容方法を供するにある。
本発明の第５の目的は、電気信号伝送用の一重化伝送路が、回線インタフェース部の系切替え時にもサービスが中断されることなく、新規サービスの導入や障害に対する保守等が可能な状態として実装装置に収容され得る、一重化伝送路の回線インタフェース部実装装置への収容方法を供するにある。
本発明の第６の目的は、電気信号伝送用の一重化伝送路が、放射ノイズが防止された状態として実装装置に収容され得る、一重化伝送路の回線インタフェース部実装装置への収容方法を供するにある。
本発明の第７の目的は、光信号伝送用の伝送路が一重化構成である場合に、その伝送路が二重化構成の回線インタフェース部の何れかに収容される状態として実装装置に収容され得る、一重化伝送路の回線インタフェース部実装装置への収容方法を供するにある。
本発明の第８の目的は、それぞれ電気信号伝送用、光信号伝送用の一重化伝送路を二重化構成の回線インタフェース部の何れかに収容せしめるに際して、系切替信号が断状態におかれた場合、または系切替用電源の供給が断状態におかれた場合に、一重化伝送路が何れか一方の回線インタフェース部に強制的に収容されるべく、実装装置に収容され得る、一重化伝送路の回線インタフェース部実装装置への収容方法を供するにある。
本発明の第９の目的は、光信号伝送用の一重化伝送路がそのコネクタ形状如何に拘らず、その伝送路に対応する一重化回線インタフェース部に収容されるべく実装装置に収容され得る、一重化伝送路の回線インタフェース部実装装置への収容方法を供するにある。
【０００９】
【課題を解決するための手段】
上記第１の目的は、基本的には、一重化伝送路に対応する回線インタフェース部が一重化構成である場合には、実装装置背面側に取り付けされ、かつ系切替機能が具備されていない回線インタフェース無予備用アタッチメント基板を介して、また、それが二重化構成である場合は、系切替機能が具備されている回線インタフェース二重化用アタッチメント基板を介して一重化伝送路がそれぞれ収容されることで達成される。
【００１０】
上記第２の目的は、実装装置背面側に一重化伝送路共通に取り付けされている回線インタフェース無予備用アタッチメント基板、回線インタフェース二重化用アタッチメント基板それぞれを介し一重化伝送路各々が高密度状態として収容されることで達成される。
【００１１】
上記第３の目的は、一重化伝送路側の接続コネクタ形状に対応する回線インタフェース無予備用アタッチメント基板、回線インタフェース二重化用アタッチメント基板それぞれを介し一重化伝送路が実装装置に収容されることで達成される。
【００１２】
上記第４の目的は、電気信号伝送用の一重化伝送路は回線インタフェース無予備用アタッチメント基板、または回線インタフェース二重化用アタッチメント基板を介して、また、光信号伝送用の一重化伝送路はその一重化伝送路に対応する回線インタフェース部にコネクタ接続により直接実装装置に収容されることで達成される。
【００１３】
上記第５の目的は、一重化伝送路に対応する回線インタフェース部が二重化構成であるとして、系切替え時にもサービスが中断されることなく、新規サービスの導入や障害に対する保守等を可能とすべく、回線インタフェース二重化用アタッチメント基板を介しその一重化伝送路が実装装置に収容されることで達成される。
【００１４】
上記第６の目的は、回線インタフェース無予備用アタッチメント基板、回線インタフェース二重化用アタッチメント基板はそれぞれ基板全体が放射ノイズ防止用金属板で覆われた状態として、実装装置背面側に取り付けされることで達成される。
【００１５】
上記第７の目的は、実装装置背面側に取り付けされ、かつ系切替機能としての光スイッチが具備されている回線インタフェース二重化用アタッチメント基板を介し一重化伝送路が実装装置に収容されることで達成される。
【００１６】
上記第８の目的は、一重化伝送路に対応する回線インタフェース部から系切替機能への系切替信号が断状態におかれた場合、または一重化伝送路に対応する回線インタフェース部から系切替機能への系切替用電源の供給が断状態におかれた場合、一重化伝送路は系切替機能を介し、二重化構成の回線インタフェース部のうち、何れか一方の回線インタフェース部に強制的に収容されることで達成される。
【００１７】
上記第９の目的は、一重化伝送路が、一重化伝送路側の接続コネクタ形状に対応する回線インタフェース無予備用アタッチメント基板を介し実装装置に収容されることで達成される。
【００１８】
【発明の実施の形態】
以下、本発明の実施形態について説明するが、その具体的説明に先立ってその概要について説明すれば以下のようである。
即ち、本発明による一重化伝送路の回線インタフェース部実装装置への収容方法においては、電気信号伝送用の一重化伝送路（現状、一部の例外を除き、殆どの場合、一重化構成）が実装装置に収容されるに際しては、一重化伝送路は、その伝送路と接続されるための伝送路接続部と、回線インタフェース部が実装されているバックプレーン側接続部とを持つ多数ポート実装可能なアタッチメント基板を介し収容されるようにしたものである。ＤＳ３インタフェースのように伝送路が電気信号伝送用である場合、ＢＮＣコネクタが多数実装されたアタッチメント基板が用いられることによって、共通スロットに各種回線インタフェース部の実装が可能とされているものである。尤も、光信号伝送用の伝送路（現状、一部の例外を除き、殆どの場合、二重化構成）が収容されるに際しては、回線インタフェース部（カードとして構成）にミニＳＣのような小型光コネクタを介し伝送路が直接収容されるようにしたものである。光信号伝送用の伝送路が一重化構成とされている場合には、電気信号伝送用の伝送路の場合と同様、アタッチメント基板を介し収容されればよく、また、たとえ、それが二重化構成とされている場合であっても、相互に接続されるべきコネクタの形状如何によっては、接続調整用のアタッチメント基板を介し収容されるようにすればよいものである。
【００１９】
ところで、アタッチメント基板の種類としては、回線インタフェース部と１対１で対応接続されるコネクタのみが実装された回線インタフェース無予備用アタッチメント基板と、現用、予備用の回線インタフェース部と一重化伝送路とを接続するための系切替機能を持つ回線インタフェース二重化用アタッチメント基板とがあるが、必要に応じてアタッチメント基板が付け替えられる場合は、伝送路が一重化構成であっても、回線インタフェース部の構成態様（一重化構成、または二重化構成）に容易に対処し得るものである。アタッチメント基板がスロット毎に脱着可能とされる場合にはまた、他スロットで提供されているサービスを中断させることなく二重化、一重化の切替が可能とされているものである。
【００２０】
更にまた、系切替機能が具備された二重化用アタッチメント基板を介し伝送路が収容される場合での系切替制御方法として、系切替信号と系切替装置への電源とを予備系回線インタフェース部からのみ供給するようにすれば、両系からの系切替信号や電源の監視は不要とされ、簡単容易に、しかも高信頼度を以て系切替制御を行い得るものである。電気信号伝送用の一重化伝送路が無予備用、または二重化用アタッチメント基板を介し収容されるに際して、アタッチメント基板全体が金属板で覆われた上、その金属板がキャビネットリヤカバーに取り付けされる場合には、放射ノイズは効果的にシールドされ得るものである。
【００２１】
さて、本発明の実施形態について具体的に説明すれば、先ず図１は電気信号伝送用、光信号伝送用の伝送路がともに一重化構成とされ、また、それら伝送路に対応する回線インタフェース部もまた、ともに一重化構成とされた場合でのそれら伝送路の収容方法を示したものである。図示のように、電気信号伝送用の伝送路４０は回線インタフェース無予備用アタッチメント基板３０を介して回線インタフェース部１０に、また、光信号伝送用の伝送路４１は直接的に回線インタフェース部１１にそれぞれ収容されたものとなっている。より詳細に説明すれば、伝送路４０は回線インタフェース無予備用アタッチメント基板３０における伝送路側コネクタ３０２、そのアタッチメント基板３０自体、バックプレーン側コネクタ３０１、バックプレーン２０のアタッチメント側コネクタ２０２、バックプレーン２０の回線インタフェース側コネクタ２０１、バックプレーン側コネクタ１０１をそれぞれ介し回線インタフェース部１０に収容されたものとなっている。一方、また、伝送路４１は回線インタフェース部１１に予め取付けされている光コネクタ１１１を介し直接的に収容されたものとなっている。図示のように、伝送路４０が回線インタフェース無予備用アタッチメント基板３０を介し回線インタフェース部１０に収容される場合、そのアタッチメント基板３０から回線インタフェース部１０に対しては無予備接続信号が送信されているが、これにより、回線インタフェース部１０は一重化動作状態におかれているものである。因みに、伝送路４１に対応する回線インタフェース部１１での一重化動作状態としての設定についてであるが、これはソフトウェアにより行われるものとなっている。
【００２２】
図２はまた、電気信号伝送用、光信号伝送用の伝送路がそれぞれ一重化構成、二重化構成とされ、電気信号伝送用、光信号伝送用の伝送路に対応する回線インタフェース部がともに二重化構成とされた場合でのそれら伝送路の収容方法を示したものである。図示のように、電気信号伝送用の伝送路４０は一重化構成とされた上、それに対応する回線インタフェース部１０ａ，１０ｂが二重化構成とされている場合、伝送路４０は回線インタフェース二重化用アタッチメント基板３１上の系切替部３１３ｂで系切替が行われた上、回線インタフェース部１０ａ，１０ｂの何れか一方に収容されたものとなっている。より具体的には、伝送路４０は伝送路側コネクタ３１２ａ，３１２ｂ、アタッチメント基板３１自体を介し系切替部３１３ｂで系切替が行われているものである。例えば回線インタフェース部１０ａが現用系として動作しているとすれば、伝送路４０はその後、アタッチメント基板３１におけるバックプレーン側コネクタ３１１ａ、バックプレーン２０のアタッチメント側コネクタ２０２、バックプレーン２０の回線インタフェース側コネクタ２０１、回線インタフェース部１０ａのバックプレーン側コネクタ１０１をそれぞれ介し回線インタフェース部１０ａに収容されているものである。これと同様にして、回線インタフェース１０ｂが現用系として動作している場合、伝送路４０はその後、アタッチメント基板３１におけるバックプレーン側コネクタ３１１ｂ、バックプレーン２０のアタッチメント側コネクタ２０２、バックプレーン２０の回線インタフェース側コネクタ２０１、回線インタフェース部１０ｂのバックプレーン側コネクタ１０１をそれぞれ介し回線インタフェース部１０ｂに収容されているものである。一方、光信号伝送用の伝送路４２は二重化構成とされた上、図１の場合と同様にして、回線インタフェース部１１ａ，１１ｂそれぞれに光コネクタ１１１ａ、１１１ｂを介し収容されたものとなっている。
【００２３】
さて、その動作であるが、伝送路４０が回線インタフェース二重化用アタッチメント基板３１を介し収容される場合、アタッチメント基板３１から回線インタフェース部１０ａ，１０ｂそれぞれに対しては二重化接続信号が送信されることによって、これにより、回線インタフェース１０ａ，１０ｂのうち、一方は現用系として、また、他方は予備系として動作する二重化動作状態におかれているものである。更に、回線インタフェース部１０ｂが通常、予備系におかれているとすれば、回線インタフェース部１０ｂからアタッチメント基板３１上の系切替駆動部３１３ａには系切替信号が送信されているとともに、系切替駆動電源が供給されたものとなっている。これにより、系切替駆動部３１３ａからの切替信号により系切替部３１３ｂで系切替が行われているものである。一方、光信号伝送用の伝送路４２の場合には、回線インタフェース部１１ａ，１１ｂも二重化構成とされていることから、通常、アタッチメント基板不要として、伝送路４２が回線インタフェース部１１ａ，１１ｂに収容されているものである。
【００２４】
図３（Ａ），（Ｂ）はＤＳ３インタフェース、回線インタフェース部一重化構成を想定した場合での実装装置の平面、一部右側面の例をそれぞれ示したものである。この場合、伝送路４０は電気信号伝送用一重化構成とされているため、伝送路４０はそれと接続されるための電気用ＢＮＣコネクタ３０２（３０２ａ，３０２ｂ）が具備されている回線インタフェース無予備用アタッチメント基板３０、高密度コネクタ３０１，２０２、バックプレーン２０を介し回線インタフェース部１０に収容されており、伝送路信号や各種制御信号は高密度コネクタ３０１、２０２を介し送受されているものである。
【００２５】
図４（Ａ），（Ｂ）はまた、ＯＣ３インタフェース、回線インタフェース部一重化構成を想定した場合での実装装置の平面、一部右側面の例をそれぞれ示したものである。一重化構成の伝送路４１は、回線インタフェース部１１に光コネクタ１１１（１１１ａ，１１１ｂ）が予め取付けされているので、アタッチメント基板不要として、その光コネクタ１１１を介し直接的に回線インタフェース部１１に収容されたものとなっている。
【００２６】
更に、ＤＳ３インタフェース、ＯＣ３インタフェースの回線インタフェース部が実装装置に実装されている場合、その実装装置の背面外観の例を図５に示す。図示のように、本例では、左側にはＤＳ３インタフェース用の２枚の無予備用アタッチメント基板３０が着脱可として取付けされた上、それら無予備用アタッチメント基板３０上にはまた、ＢＮＣコネクタ３０２（３０２ａ，３０２ｂ）が多数収容されたものとなっている。無予備用アタッチメント基板３０の種別としては、ＢＮＣコネクタ３０２の形状種別に応じた分、予め用意されているが、無予備用アタッチメント基板３０の何れの種別が採用されるかは、伝送路４０側のコネクタ形状に合致するものが選択的に採用されればよいものである。一方、それら無予備用アタッチメント基板３０の右側には、光コネクタ１１１（１１１ａ，１１１ｂ）が２列状に設けられたものとなっている。光コネクタ１１１自体は小型のため、回線インタフェース部には多数ポートが直接収容可とされているものである。因みに、光コネクタ１１１の下部側には、無予備用、二重化用アタッチメント基板３０，３１と接続される高密度コネクタ２０２が位置されたものとなっている。
【００２７】
図６（Ａ），（Ｂ）はまた、既述の図２に示す場合、即ち、電気信号伝送用、光信号伝送用の伝送路がそれぞれ一重化構成、二重化構成とされ、電気信号伝送用、光信号伝送用の伝送路に対応する回線インタフェース部がともに二重化構成とされた場合に対する実装装置の平面、背面外観の例をそれぞれ示したものである。図６（Ａ）に示すように、ＤＳ３インタフェースとしての二重化構成は回線インタフェース部１０ａ，１０ｂを以て構成されたものとなっている。伝送路４０は一重化構成とされていることから、伝送路４０は回線インタフェース部１０ａ，１０ｂの何れか一方としての現用系に収容される必要があるが、何れに収容されるかは、回線インタフェース部１０ｂからの系切替信号によるものとなっている。その系切替信号により回線インタフェース二重化用アタッチメント基板３１上の切替部３１３（３１３ａ，３１３ｂ）で系切替が行われているものである。一方、ＯＣ３インタフェースとしての二重化構成は回線インタフェース１１ａ，１１ｂを以て構成されたものとなっている。ＯＣ３インタフェースが二重化構成とされる場合、通常、伝送路４２も二重化構成とされるため、回線インタフェース部１１ａ，１１ｂに対しては、それらに予め取付けされている光コネクタ１１１ａ，１１１ｂを介し伝送路４２が直接的に収容されたものとなっている。図６（Ｂ）にはまた、その際での実装装置の背面外観の例が示されているが、ＤＳ３インタフェースの場合、伝送路４０各々は回線インタフェース二重化用アタッチメント基板３１、高密度コネクタ３１１（３１１ａ，３１１ｂ），２０２を介し回線インタフェース部１１ａ，１１ｂの何れかに収容されたものとなっている。一方、ＯＣ３インタフェースの場合には、図４（Ａ），（Ｂ）および図５の場合と同様とされているものである。
【００２８】
以上のように、伝送路の一重化、二重化構成や電気／光信号の種別に応じた収容方法が採用されることによって、同一スロットには複数種類の回線インタフェース部が収容可とされているものである。また、脱着可能なこれら無予備用、二重化用アタッチメント基板を用いることによって、系切替機能が具備されていない回線インタフェース部が一重化構成、二重化構成の何れにも対応したものとして用いられ得、連続する特定スロットで一重化構成、二重化構成の回線インタフェース部の切替が可能とされているものである。
【００２９】
ところで、回線インタフェース二重化用アタッチメント基板３１上には系切替部としてのリレーが実装されているが、これは、伝送路側との接続部（コネクタ）から系切替部までの距離が、信号の立上り時間の１／４に必要な距離（基板上の遅延時間を１０ｃｍ当たり０．７ｎｓとして、信号の立上り時間が２ｎｓとすると２ｎｓ／４×１０／０．７≒７となり、約７ｃｍ以下にする必要がある）より短くなければ、アタッチメント基板上の信号配線パターンがスタブとなって反射が起こり、伝送路と回線インタフェース部間で信号が正しく送受信されないからである。このため、伝送路側接続部と系切替部は隣接するよう実装される必要があるが、例えば回線インタフェース部に系切替リレーが実装される場合は、この条件は守られないことになる。
【００３０】
ここで、伝送路４０が回線インタフェース二重化用アタッチメント基板３１を介し、２重化構成の回線インタフェース部の何れかに収容されている場合に、回線インタフェース部に対する系切替制御方法について説明すれば以下のようである。
【００３１】
即ち、通常、回線インタフェース部１０ａ，１０ｂはそれぞれ現用系、予備系におかれているが、これらがともに正常状態におかれている状態で、図７（Ａ）に示すように、現用系に何等かの障害が起きた場合を想定すれば、その旨は別ルートを介し予備系に系切替信号として通知されるものとなっている。この系切替信号はそのまま予備系から二重化用アタッチメント基板３１上の系切替駆動部３１３ａに送られる結果として、系切替部３１３ｂでは、伝送路４０は予備系回線インタフェース部１０ｂ側に切替されるものとなっている。また、同様に、回線インタフェース部１０ａ，１０ｂがそれぞれ現用系、予備系におかれ、これらがともに正常状態におかれている状態で、予備系に障害（系切替信号断や系切替駆動電源断等を伴う障害）が発生した場合を想定すれば、以降、ブレーク接点側に系切替状態が固定されることによって、たとえ、予備系が故障し系切替信号が積極的に送信されない場合でも、現用系では、そのまま現用系としての動作が維持され得るものである。一方、それとは別に、回線インタフェース部１０ａ，１０ｂがそれぞれ予備系、現用系におかれ、これらがともに正常状態におかれている状態で、現用系に障害（系切替信号断や系切替駆動電源断等を伴う障害）が発生した場合を想定すれば、図７（Ｂ）に示すように、以降、ブレーク接点側に系切替状態が固定的に切替されることによって、たとえ、現用系が故障し系切替信号が積極的に送信されない場合でも、予備系では、新たな現用系として動作し得るものである。
【００３２】
ところで、回線インタフェース部一般ではＯＢＰ（オンボード電源：例えば−４８Ｖ共通電源よりその回線インタフェース部１０ｂ上で＋５Ｖ電源を得ること）が採用されており、回線インタフェース部１０ｂでは、図７（Ｃ）に示すように、高出力インピーダンスが保証された素子５０が系切替信号送出用として使用されたものとなっている。したがって、回線インタフェース部１０ａが現用系として動作している場合に、たとえ、予備系におかれている回線インタフェース部１０ｂが活線挿抜されたとしても、バッファ５１によりリレードライバ５２やリレー３１３ｂにはそれによる影響が及ぶことはなく、回線インタフェース部１０ａは現用系としてそのまま動作し得るものとなっている。このことはまた、一重化構成の伝送路は二重化用アタッチメント基板を介し、一重化構成の回線インタフェース部に収容され得ることをも意味していることに他ならない。
【００３３】
更に、現用系、予備系の回線インタフェース部の何れか一方に障害が発生している状態で、他方にも障害が起こった場合、回線インタフェース部によるサービスは中断されるが、両系とも障害発生状態におかれている時に現用系のみ復旧した場合を想定すれば、予備系からの系切替信号の断状態と同じ状態なので、ブレーク接点側の現用系に系切替が行われるところとなるものである。同じく両系とも障害発生状態におかれている時に予備系のみ復旧した場合を想定すれば、予備系からアタッチメント基板上の系切替部に系切替信号が送信されるので、その系切替信号により予備系に系切替が行われるものとなっている。以上の系切替制御方法により、回線インタフェース部各々には系切替機能が不要とされ、通常、予備系として動作する回線インタフェース部から系切替信号が送信されることによって、高い信頼度を以て系切替制御を行い得るものである。
【００３４】
更にまた、図８（Ａ），（Ｂ）によりＥＭＩ対策方法について説明すれば、既述の無予備用、二重化用アタッチメント基板３０，３１はキャビネットのリヤカバーに物理的に固定された状態で、ＥＭＩ対策上、金属板６０、６１それぞれによりその基板全体が覆われた上、金属板６０、６１それぞれがバックプレーン２０に取付接続されることで、アタッチメント基板３０、３１それぞれからの放射ノイズが遮断され得るものとなっている。
【００３５】
最後に、各種関連事項について説明すれば、前面ケーブルアクセスをしたい場合、ミニ同軸を用い切替ユニットを付加する方法もある。この際にも、既に説明したように、切替の伝送路の反射を防止するため伝送路側コネクタと切替リレーは切替ユニット側に実装される必要がある。また、伝送路が電気信号伝送用である場合、回線終端部を回線インタフェース部側に持つ方法とアタッチメント基板側に持つ方法とがあるが、実装エリアが十分確保されていれば、何れの側に実装されてもよい。更に、伝送路が一重化構成であって、しかもそれが光信号伝送用である場合、回線インタフェース部一重化構成の場合とは異なり、回線インタフェース部の系切替のために回線インタフェース二重化用アタッチメント基板を介し伝送路が収容される場合がある。その際、回線インタフェース部には光コネクタが取付けされているため、回線インタフェース部とアタッチメント基板間は光ケーブルで、また、伝送路とアタッチメント基板間は光コネクタを用い接続される。電気信号の場合と同様にして、高密度コネクタを介し送受信される系切替信号により、伝送路は回線インタフェース二重化用アタッチメント基板上の系切替部で系切替が行われた上、二重化構成の回線インタフェース部の何れか一方に収容されるものである。その際、系切替部に光スイッチを用いる方法と、受信された光信号は一旦電気信号に変換された状態で系切替が行われた後、再度光信号に変換される方法とが考えられるが、アタッチメント基板上に十分な実装エリアが確保される場合は、何れの方法が採用されてもよいものである。
【００３６】
ところで、以上の説明では、ＤＳ３インタフェースとＯＣ３インタフェースについて主に説明されているが、それら以外のインタフェースで用いられる伝送路が、その伝送路と接続されるための各種コネクタ形状に対応したアタッチメント基板を介し収容される場合は、共通スロットに複数種類の回線インタフェース部が実装され得るものである。
【００３７】
【発明の効果】
以上、説明したように、本発明による一重化伝送路の回線インタフェース部実装装置への収容方法による場合には、以下の効果が得られるものとなっている。
【００３８】
請求項１〜３：電気信号伝送用の一重化伝送路に対応する回線インタフェース部が一重化構成、二重化構成の何れであっても、保守性に優れた状態としてその一重化伝送路が実装装置に収容され得る。
【００３９】
請求項４：電気信号伝送用の一重化伝送路に対応する回線インタフェース部が一重化構成、二重化構成の何れであっても、保守性に優れた状態として、しかもポート数大として、一重化伝送路が実装装置に収容され得る。
【００４０】
請求項５：電気信号伝送用の一重化伝送路側のコネクタ形状の如何に拘らず、保守性に優れた状態として、その一重化伝送路が実装装置に収容され得る。
【００４１】
請求項６：電気信号伝送用、光信号伝送用の一重化伝送路がそれぞれ実装装置に保守性に優れた状態として収容され得る。
【００４２】
請求項７：電気信号伝送用の一重化伝送路が、回線インタフェース部の系切替え時にもサービスが中断されることなく、新規サービスの導入や障害に対する保守等が可能な状態として実装装置に収容され得る。
【００４３】
請求項８：電気信号伝送用の一重化伝送路が、放射ノイズが防止された状態として実装装置に収容され得る。
【００４４】
請求項９：光信号伝送用の伝送路が一重化構成である場合に、その伝送路が二重化構成の回線インタフェース部の何れかに収容される状態として実装装置に収容され得る。
【００４５】
請求項１０，１１：それぞれ電気信号伝送用、光信号伝送用の一重化伝送路を二重化構成の回線インタフェース部の何れかに収容せしめるに際して、系切替信号が断状態におかれた場合、または系切替用電源の供給が断状態におかれた場合に、一重化伝送路が何れか一方の回線インタフェース部に強制的に収容されるべく、実装装置に収容され得る、一重化伝送路の回線インタフェース部実装装置への収容方法を供するにある。
請求項１２：光信号伝送用の一重化伝送路がそのコネクタ形状如何に拘らず、その伝送路に対応する一重化回線インタフェース部に収容されるべく実装装置に収容され得る。
【図面の簡単な説明】
【図１】図１は電気信号伝送用、光信号伝送用の伝送路がともに一重化構成とされ、また、回線インタフェース部もまた、ともに一重化構成とされた場合でのそれら伝送路の収容方法を示す図
【図２】図２は、電気信号伝送用、光信号伝送用の伝送路がそれぞれ一重化構成、二重化構成とされ、電気信号伝送用、光信号伝送用の伝送路に対応する回線インタフェース部がともに二重化構成とされた場合でのそれら伝送路の収容方法を示す図
【図３】図３（Ａ），（Ｂ）は、ＤＳ３インタフェース、回線インタフェース部一重化構成を想定した場合での実装装置の平面、一部右側面をそれぞれ示す図
【図４】図４（Ａ），（Ｂ）は、ＯＣ３インタフェース、回線インタフェース部一重化構成を想定した場合での実装装置の平面、一部右側面をそれぞれ示す図
【図５】図５は、ＤＳ３インタフェース、ＯＣ３インタフェースの回線インタフェース部が実装装置に実装されている場合、その実装装置の背面外観の例を示す図
【図６】図６（Ａ），（Ｂ）は、電気信号伝送用、光信号伝送用の伝送路がそれぞれ一重化構成、二重化構成とされ、電気信号伝送用、光信号伝送用の伝送路に対応する回線インタフェース部がともに二重化構成とされた場合に対する実装装置の平面、背面外観の例をそれぞれ示を示す図
【図７】図７（Ａ）〜（Ｃ）は、本発明に係る系切替制御方法を説明するための図
【図８】図８（Ａ），（Ｂ）は、ＥＭＩ対策方法を示す図
【図９】図９は、伝送路各々が回線インタフェース部実装装置に対し、その前面側から収容される場合での回線インタフェース部実装装置の一例での平面を示す図
【図１０】図１０（Ａ），（Ｂ）は、伝送路各々が回線インタフェース部実装装置に対し、その背面側から収容される場合での回線インタフェース部実装装置の一例での平面、一部右側面をそれぞれ示す図
【符号の説明】
１０，１１…一重化回線インタフェース部、１０ａ，１０ｂ、１１ａ，１１ｂ…二重化回線インタフェース部、１２…回線インタフェーススロット、２０…バックプレーン、３０…回線インタフェース無予備用アタッチメント基板、３１…回線インタフェース二重化用アタッチメント基板、３１３ａ…系切替駆動部、３１３ｂ…系切替部、４０…一重化伝送路（電気信号伝送用）、４１…一重化伝送路（光信号伝送用）、６０，６１…金属板（放射ノイズ遮断用）
【図１】
0003866846.tif 000002
【図２】
0003866846.tif 000003
【図３】
0003866846.tif 000004
【図４】
0003866846.tif 000005
【図５】
0003866846.tif 000006
【図６】
0003866846.tif 000007
【図７】
0003866846.tif 000008
【図８】
0003866846.tif 000009
【図９】
0003866846.tif 000010
【図１０】
0003866846.tif 000011